(57)【要約】【課題】従来のサドル付分水栓は、鋳鉄の配水本管に分水のため穿孔される穿孔部には外面を絶縁被覆した密着コアが挿入されるだけで、ステンレス製のボール押さえから直接的に配水本管に流路が構成されるため、至近距離の異種金属による腐食電流が水道水を介して配水本管にジャンプする問題があった。【解決手段】分水栓止水機構部のコア挿入部位５に、絶縁素材ブッシュ７を嵌装させることにより、止水機構部において発生する腐食電流が水道水を介してジャンプすることを抑止するように構成した。【選択図】図３
2006342861.tif 000002
【特許請求の範囲】
【請求項１】
配水管を挟着包持するサドルの上部に分水栓を取付けて構成されるサドル分水栓において、分水栓止水機構部のコア挿入部位に、絶縁素材ブッシュを嵌装させることにより、止水機構部において発生する腐食電流が水道水を介して配水本管にジャンプすることを抑止するように構成したことを特徴とする腐食電流抑止サドル分水栓
【請求項２】
絶縁素材ブッシュの所定内壁部に金属筒を着合するように構成したことを特徴とする請求項１記載の腐食電流抑止サドル分水栓
【発明の詳細な説明】
【技術分野】
【０００１】
本発明は、配水管から特定配管への分水の際に用いられるサドル分水栓で、異種金属部材の接触により発生する腐食電流が、水道水を介して配水本管にジャンプする現象を抑止するために内面抵抗値（栓の内部を腐食電流が流れる際に通過する絶縁帯部の抵抗であり、腐食電流の流れにくさを示す値）を向上させるようにしたサドル分水栓に関するものである。
【背景技術】
【０００２】
サドル分水栓は、通常、サドル部分の素材は鋳鉄、分水栓の構成素材は砲金やステンレスによって構成されるため、組み付けにより異種金属部材が接触着合される結果となり、接触する異種金属間の素材電位差から発生する電流により素材に腐食が生じて製品の耐用年数が短くなる問題がある。
【０００３】
従来、この異種金属間発生電流に対する対応策として、特許文献１に記載されるように分水栓本体の内部に一対のボールシートを介在させ、更に、特許文献２のようにボール押さえの下端と分水栓本体下部開口縁とを当接させないようにしたり、或いは、特許文献３のように異種金属の接触部位に絶縁体を敷設介在させるようにしてきている。
【特許文献１】特開平１０−３０６８９５号公報
【特許文献２】特開２００１−２８９３８５号公報
【特許文献３】特開２００２−２６７０８５号公報
【発明の開示】
【発明が解決しようとする課題】
【０００４】
しかしながら、最近、異種金属部材が直接接触しないようにするだけでは、異種金属間の離間距離が短い場合に水道水を介して配水本管にジャンプする現象に対応できず、腐食電流の発生を完全に防止できないことが判明した。
【０００５】
特に、鋳鉄管である配水本管に分水のため穿孔される穿孔部には本体が純銅、燐脱酸銅等で構成され外面をゴムで被覆した密着コアが挿入されるだけで、ステンレス製のボール押さえからストレートに配水本管に流路が構成され、至近距離に異種金属であるステンレスと鋳鉄が存在することとなる問題がある。
【０００６】
配水管から特定配管への分水は、配水本管の穿孔部からステンレス製のボール押さえを通って特定配管に分水されるが、電流はステンレスから卑金属である鋳鉄に向けて流れるので、水道水を介して配水本管にジャンプして電流が発生し配水本管の塗装に傷があると土壌を通して分水栓本体との間に電流回路が構成されて腐食電流が活性化されて配水本管の腐食を早める結果となる。
【課題を解決するための手段】
【０００７】
本発明は上記した課題に対応しようとするものであり、分水栓止水機構部のコア挿入部位に、絶縁素材ブッシュを嵌装させることによりボール押さえの素材であるステンレスと配水本管の素材である鋳鉄との離間距離を増大させて腐食電流を抑止し内面抵抗値を高めるように構成した。
【０００８】
更に、合成樹脂等による絶縁ブッシュの密着コア挿入時における耐圧強度を高め、絶縁ブッシュの内壁と密着コア外周面との滑動性を維持して密着コアの良好な密着状態を確保するため、絶縁ブッシュの所定内壁部に金属筒を着合するようにしたものである。
【実施例】
【０００９】
以下、本発明の実施例を図面を参照して説明する。
１は分水栓で、配水本管を挟着包持するサドルの上部包持体２と配水本管の下側に挿し回わされ、上部包持体２と着合して配水本管を挟着包持する下部包持体３とからなっている。
【００１０】
上部包持体２の上面は、分水栓１の底部と嵌合接合してボルト締着１８される締着座２１となっており、分水栓のボールケース外側に設けられた締着フランジ１１との間に樹脂等による絶縁シート４を敷設介在させて分水栓を締着接合するようになっている。また、締着座２１の中央部には分水栓の下端に絶縁ボールシート１７を介在させて螺合するボール押さえ１３の底部が嵌合する嵌合孔２３が形成されている。
【００１１】
分水栓１は、底部側外側に締着フランジ１１を設け、底部が上部包持体の上面座に嵌合するボール押さえ１３によって螺合覆閉されるように構成されたボールケース１２の、上下に貫通する中央通水孔５の中央部ボール格納室にボールシート１７、１７を敷設してボールバルブ１４を挟持格納し、その側部に配水支管への側方開口部１５、その対向位置にボールバルブの回動操作機構１６を組み付け、中央部に中央通水孔５が貫通するボール押さえ１３によって螺合覆閉されされて止水機構部が構成される。
【００１２】
ボール押さえ１３の中央部に貫通する中央通水孔５の内径には、絶縁ブッシュ７が嵌装されるが、更に、その内壁部に金属筒７１が着合され絶縁ブッシュ７に対して密着コア８が挿入される際の耐圧強度を高め、絶縁ブッシュの内壁と密着コア外周面との滑動性を維持して密着コアの良好な密着状態が確保されるようになっている。
【００１３】
サドルの上部包持体２の上部には、分水栓１の中央通水孔５と接合し、分水栓下端に螺合したボール押さえ１３の底部と嵌合する嵌合孔２３が設けられ、嵌合孔２３の下端には弾性のガスケット６が嵌着されて漏水防止構造となっており、上端はキャップ５１によって覆蓋されるようになっている。
【００１４】
配水管へのサドルの締着は、上部包持体２の上部締着耳２２、２２と下部包持体３のと下部締着耳３２、３２に各々ボルト３１を挿通して、包持した配水本管を上下から挟持締着するようになっているが、上下包持体耳部の材質と挿通ボルト３１の材質に電位差の生ずる恐れのある場合には、絶縁体４１、４２をそれぞれ介在させてボルト締着を行なうものである。
【００１５】
分水栓の取り付けは、下部包持体３を配水本管の下側に挿し回わして、上部包持体２と着合して配水本管を挟着包持して取り付け、絶縁シート４を敷設介在させて分水栓本体を締着接合１８し、或いは事前に絶縁シート４を敷設介在させて上部包持体２に締着接合１８した分水栓本体１の側方開口部１５に給水支管を接続し、キャップ５１をはずし上部から中央通水孔５を通して穿孔機を挿入して配水本管Ａに通水孔を穿孔する。
【００１６】
配水本管に通水孔を穿孔した後、穿孔機が引抜かれると入れ代わりに先端に密着コア８を装着した挿入棒が中央通水孔５に挿入され、挿入棒による押圧によって密着コア８が絶縁ブッシュ７の内壁から配水本管Ａの穿孔部ａの内壁にかけて密着されると密着コアは挿入棒から離脱し、分水栓から挿入棒は抜去されるものである。
【００１７】
密着コア８は、純銅、燐脱酸銅などの可塑性素材によって構成された外表面をゴム等の弾性素材による被膜層８１を固着した筒状本体８の頂部に挿入時の押圧により曲折されて拡幅し絶縁ブッシュ７の内径に圧接する曲折構造８２を設け、その下部には装着される水道本管Ａの下面にコア部材を支持するフランジ部８３が形成されている。
【００１８】
配水本管Ａに穿孔部ａによる通水孔が穿孔され、密着コア８の装着が完了すると回動操作機構１６によりボールバルブ１４を回動してバルブを閉鎖し、キャップ５１を嵌めた後に再び回動操作機構１６によりボールバルブ１４を開いて分水を完了するものである。
【００１９】
以上のようにして分水が開始されると、水道水は止水機構部を通して分水支管通水するので、中央通水孔５は水道水流路として水道水が充填されることになり、止水機構部の素材であるステンレスと鋳鉄管の配水本管との間に水道水を介して異種金属間電流がジャンプすることが避けられない。
【００２０】
しかし、出願人は上記の異種金属間電流のジャンプ現象を阻止するべく研究と実験を重ねた結果、止水機構部の内面抵抗値を高めることによりこの現象が抑止されることが判明したのである。
【００２１】
すなわち、出願人において分水栓の外面部と配水本管の外面塗装の一部を剥がした箇所にオームメーターを接続した実験結果ではボール押さえ１３の中央部に貫通する中央通水孔５の内径に絶縁ブッシュ７を嵌装しない場合に１５００オームだった内面抵抗値が、絶縁ブッシュ７を嵌装することにより３０００オームに高められることが確認できた。
【００２２】
本発明は以上のように構成したので、分水栓止水機構部の内面抵抗値を飛躍的に高めることができ、配水本管の異種金属間電流による腐食を抑止してその耐用年数を大幅に伸長することができるものである。
【００２３】
また、絶縁ブッシュの所定内壁部に金属筒を着合することにより、合成樹脂等による絶縁ブッシュの密着コア挿入時における耐圧強度を高め、絶縁ブッシュの内壁と密着コア外周面との滑動性を維持して密着コアの良好な密着状態を確保することができた。
【図面の簡単な説明】
【００２４】
【図１】本発明の実施例を示すもので、要部を一部切欠断面として示した            サドル分水栓の正面図
【図２】同じく、上記サドル分水栓の右側面図
【図３】同じく、分水栓止水機構部に絶縁ブッシュを装着した状態を示す            サドル分水栓と配水本管通水穿孔部の縦断面図
【符号の説明】
【００２５】
１  分水栓本体
１１  分水栓の締着フランジ
１２  分水栓のボールケース
１３  ボール押さえ
１４  ボールバルブ
１５  配水支管への側方開口部
１６  ボールバルブの回動操作機構
１７  ボールシート
１８  分水栓のボルト締着部
２  上部包持体
２１  上部包持体の分水栓締着座
２２  上部包持体の締着耳
２３  上部包持体の分水栓嵌合孔
３  下部包持体
３１  サドル締着挿通ボルト
３２  下部包持体の締着耳
４  絶縁シート
４１  ボルト締着部介在の絶縁体
４２  ボルト締着部介在の絶縁体
５  中央通水孔
５１  穿孔機・挿入棒挿入部上端のキャップ
６  サドル取付けガスケット
７  絶縁ブッシュ
７１  絶縁ブッシュ補強金属筒
８  密着コア
８１  密着コアの弾性被膜層
８２  密着コアの曲折構造部
８３  密着コアのコア部材支持フランジ部
Ａ  配水本管
ａ  配水本管の穿孔部（分水通水路）
【図１】
2006342861.tif 000003
【図２】
2006342861.tif 000004
【図３】
2006342861.tif 000005